(57)【要約】【課題】  構造が単純で、取り外しの操作に便利な磁性吸着式メモ挟みを提供する。【解決手段】  磁性を有する吸着面と、該吸着面に対向する非吸着面とを具え、且つ該非吸着面には長手方向に沿って凹溝を具えるように本体を一体成型し、該凹溝に飾りプレートを設けてなる長条形のメモ挟みにおいて、該メモ挟みの対向する両側壁の特定の領域に、吸着対象面に吸着させたメモ挟みを取り外す場合の操作の力点となる庇部を外方向に迫り出すように形成する。【選択図】  図３
0003102492.tif 000002
【実用新案登録請求の範囲】
【請求項１】
磁性を有する吸着面と、該吸着面に対向する非吸着面とを具え、且つ該非吸着面には長手方向に沿って凹溝を具えるように本体を一体成型し、該凹溝に飾りプレートを設けてなる長条形のメモ挟みにおいて、
該メモ挟みの対向する両側壁の特定の領域に、吸着対象面に吸着させたメモ挟みを取り外す場合の操作の力点となる庇部を外方向に迫り出すように形成することを特徴とする磁性吸着式メモ挟み。
【請求項２】
前記庇部が該メモ挟みの両側壁の上端縁部に形成され、且つ鉛直線に対して直交する線に沿って迫り出すことを特徴とする請求項１に記載の磁性吸着式メモ挟み。
【請求項３】
前記メモ挟みの対向する両側壁が、該非吸着面の両端縁部から下方に向かって内方向に傾斜する傾斜側壁であって、且つ該傾斜側壁の上端縁部に、外方向に迫り出す庇部を形成することを特徴とする請求項１に記載の磁性吸着式メモ挟み。
【請求項４】
前記庇部が、該メモ挟みの長手方向に沿って両端縁部に平行してそれぞれ形成されることを特徴とする請求項１か、請求項２か、もしくは請求項３に記載の磁性吸着式メモ挟み。
【請求項５】
前記非吸着面の凹溝内に設ける飾りプレートの上面と、該凹溝の上端縁部との間に段差を形成することを特徴とする請求項１か、請求項２か、もしくは請求項３に記載の磁性吸着式メモ挟み。
【請求項６】
前記非吸着面の凹溝内に設ける飾りプレートの上面と、該凹溝の上端縁部との間に段差を形成することを特徴とする請求項４に記載の磁性吸着式メモ挟み。
【考案の詳細な説明】
【技術分野】
【０００１】
この考案は、メモ挟みに関し、特に長条形で磁性を有し、鉄質の壁面、もしくは物体などの吸着対象面に紙片を介在させて吸着し、該紙片を該吸着対象面に止める磁性吸着式メモ挟みに関する。
【背景技術】
【０００２】
長条形の板であって、少なくとも一方の面が磁性を有し、鉄の性質を有する物体、もしくは板材に吸着させることができる物品は、一般にメモ挟みと称し、その磁性による吸着作用を利用して、紙片、もしくは薄い紙片状の物体を、鉄の性質を有する板材、もしくは壁（例えばオフィースの仕切り用の屏風）などに止めて、該紙片などに記載された内容を提示するために用いる。かかる磁性吸着式メモ挟みは、すでに従来の技術となっている。
【０００３】
上述の磁性吸着式メモ挟みは、通常磁性を有する一方の面を吸着面とし、他方の面は磁性を有することなく、塗料を塗布するか、もしくは商標、もしくはその他ロゴなどを表示して、吸着面と非吸着面とを識別する作用を具えさせる。
【０００４】
但し、かかる従来の磁性を利用するメモ挟みは、実際に使用する場合、吸着させたメモ挟みを取り外すために、抉じ開けたり、折り曲げられ、反った状態で引っ張られたりし、かつ重複して使用される。このため、磁性を有しないロゴなどの表示面に亀裂が発生したり、塗料層が剥離したりするなどの状況が容易に発生する。
【０００５】
台湾実用新案登録出願・出願番号第９０２１７９４７号は、上述の欠点に鑑み考案された長条形の磁性吸着式メモ挟みの改良構造を提供するものである。該実用新案は明細書の背景技術の欄で、従来技術として、ある業者が射出成型によってプラスチック材で磁性を有する長条形のメモ挟み上に接着して被覆するハウジングを形成し、該ハウジングによって吸着面と非吸着面とが識別できるようにし、塗料を塗布したり、ロゴなどを表示したりできるようにした構造を提供したこと挙げている。また、かかるメモ挟みは、実際に使用する上で理想的であるとはいえず、例えば、該ハウジングを接着する場合、接着が適宜でなければ、該メモ挟みをある程度の時間使用すると接着剤が剥離する現象が発生し、ハウジングとメモ挟みが分離することを指摘している。さらに、該従来のメモ挟みにおいては、該ハウジングに凹溝を形成し、メモ挟みを平坦に接着する場合の誤差を制御するようにしているが、予期するほどの効果が得られないことも問題として指摘している。
【０００６】
そこで、上述の実用新案においては、図１と図３Ａに開示するように、飾りプレート（５）を吸着面（４１）とこれに対向する非吸着面（４２）とを有するメモ挟み（４）の非吸着面（４２）に形成した凹溝（４２１）に貼着した構造を提供している。かかる構造によってメモ挟み（４）が折り曲げられたり、抉じ開けるように取り外したりされた場合に、該飾りプレート（５）によって剥離に抗する効果が得られる。
【０００７】
上述において提示されている通り、長条形で磁性を有するメモ挟みは長期にわたり使用し、且つ常に抉じ開けたり、折り曲げられ、反った状態で引っ張られたりし、かつ重複して使用される。これはメモ挟み自体が磁性によるかなりの吸着力を有し、はじめてメモ用紙などの紙片を鉄製の壁面などに安定して、且つ確実に固定し、紙片が傾斜したり、落ちたりすることを防ぐことができるからである。このように磁性による吸着力を有することは、紙片などを止めていない状態において、メモ挟みを取り外す操作が相対的に難しくなる。初期の頃の磁性を有するメモ挟みは、断面の高度、もしくは厚さが比較的大きく、使用者が抉じ開けたり、折り曲げたりして取り外す操作の難度の問題は明らかに現れることがなかった。但し、現段階における長条形の磁性を有するメモ挟みは薄く、軽量化される趨勢にある。よって、係るスリム化したメモ挟みを取り外す操作の難しさが問題になっている。
【０００８】
例えば、図１に開示するように、使用者の手（ｆ）の指先の円弧度と厚さは、現段階におけるメモ挟み（４）の厚さより明らかに大きい。よって、実際に使用する場合、使用者は手（ｆ）の指先でメモ挟み（４）を折り曲げたり、抉じ開けたりして鉄質の壁面、もしくは物体などの吸着対象面（３０）から取り外すが、このようなメモ挟み（４）を取り外す操作は、比較的難しいものである。
【０００９】
以上をまとめると、前記実用新案にはその他磁性を有するメモ挟み製品が開示されるが、これらはメモ用紙などの紙片を固定するために応用され、係る目的を達成するための従来の構造が形成されている。但し、構造が単純であり、軽量でスリム化した製品の条件を具え、同時に使用者による取り外しの操作が便利であるといった効果を兼ね備えていないことが容易に分かる。よって、長条形で磁性を具えるメモ挟みにおいて、軽量でスリム化した条件を満たし、取り外しの操作が便利である目的を達成するための要素として、体積を増加させないことが特に要求される。但し、前記実用新案にはこのような要素、もしくは課題について、その解決手段の提示、又は開示などがなされていない。
【考案の開示】
【考案が解決しようとする課題】
【００１０】
この考案は、構造が単純で、取り外しの操作に便利な磁性吸着式メモ挟みを提供することを課題とする。
【課題を解決するための手段】
【００１１】
そこで本考案者は、従来の技術に鑑み鋭意研究を重ねた結果、磁性を有する吸着面と、該吸着面に対向する非吸着面とを具え、且つ該非吸着面には飾りプレートを設けるための凹溝を形成し、両側壁の特定の領域に、吸着対象面に吸着させたメモ挟みを取り外す場合の操作の力点となる庇部を外方向に迫り出すように形成してなる磁性吸着式メモ挟みの構造によって課題を解決できる点に着眼し、係る知見に基づき本考案を完成させた。
以下、この考案について具体的に説明する。
【００１２】
請求項１に記載する磁性吸着式メモ挟みは、磁性を有する吸着面と、該吸着面に対向する非吸着面とを具え、且つ該非吸着面には長手方向に沿って凹溝を具えるように本体を一体成型し、該凹溝に飾りプレートを設けてなる長条形のメモ挟みにおいて、
該メモ挟みの対向する両側壁の特定の領域に、吸着対象面に吸着させたメモ挟みを取り外す場合の操作の力点となる庇部を外方向に迫り出すように形成する。
【００１３】
請求項２に記載する磁性吸着式メモ挟みは、請求項１における庇部が該メモ挟みの両側壁の上端縁部に形成され、且つ鉛直線に対して直交する線に沿って迫り出す。
【００１４】
請求項３に記載する磁性吸着式メモ挟みは、請求項１におけるメモ挟みの対向する両側壁が、該非吸着面の両端縁部から下方に向かって内方向に傾斜する傾斜側壁であって、且つ該傾斜側壁の上端縁部に、外方向に迫り出す庇部を形成する。
【００１５】
請求項４に記載する磁性吸着式メモ挟みは、請求項１か、請求項２か、もしくは請求項３における庇部が、該メモ挟みの長手方向に沿って両端縁部に平行してそれぞれ形成される。
【００１６】
請求項５に記載する磁性吸着式メモ挟みは、請求項１か、請求項２か、請求項３における非吸着面の凹溝内に設ける飾りプレートの上面と、該凹溝の上端縁部との間に段差を形成する。
【００１７】
請求項６に記載する磁性吸着式メモ挟みは、請求項４における非吸着面の凹溝内に設ける飾りプレートの上面と、該凹溝の上端縁部との間に段差を形成する。
【考案の効果】
【００１８】
本考案の磁性吸着式メモ挟みは、体積を増加させることなく単純で簡易な構造に構成するため、製品にスリム化が要求される現代のニーズに適うのみならず、吸着対象面に吸着させた状態において、これを取り外す場合、操作が容易でメモ挟み自体を折り曲げたりすることがなく、高い耐用性が得られるという利点がある。
【考案を実施するための最良の形態】
【００１９】
長条形で磁性を有し、鉄質の壁面、もしくは物体などの吸着対象面に紙片を介在させて吸着し、該紙片を該吸着対象面に止める磁性吸着式メモ挟みを提供するものであって、磁性を有する吸着面と、該吸着面に対向する非吸着面とを具え、且つ該非吸着面には飾りプレートを設けるための凹溝を形成し、両側壁の特定の領域に、吸着対象面に吸着させたメモ挟みを取り外す場合の操作の力点となる庇部を外方向に迫り出すように形成して構成する。
係る構成の磁性吸着式メモ挟みについて、その構造と特徴を詳述するために具体的な実施例を挙げ、以下に説明する。
【実施例１】
【００２０】
この考案によるメモ挟みは長条形で磁性を有し、実施例では図２、３Ｂ、及び図４に開示するように本体を一体成型で製造する。図面においては図番（１０）を付して表示する。メモ挟み（１０）は、扁平状の長条形に形成され、対向する両面を具え、その一面を鉄質の壁面、もしくは物体などの吸着対象面（３０）に吸着する吸着面（１１）とし、他の一面を非吸着面（１２）とする。基本的には、該非吸着面（１２）には凹溝（１３）を形成し、塗料を塗布する塗布面か、もしくは商標、ロゴなどを印刷する面となる飾りプレート（１４）を該凹溝（１３）に貼着するか、又は嵌着する。
【００２１】
この考案の好ましい実施例においては、メモ挟み（１０）の質量を新たに配分しなおす。従来のメモ挟みにおける非吸着面（４２）の凹溝（４２１）の特に重要でない領域は、一部の材料を除去する。例えば、図３Ａの点線で表示する仮想線（２）によって限定される位置である。除去する分の材料は、図３Ｂに開示するように、メモ挟み（１０）の対向する両側壁（１５）上の特定の領域に移動して庇部（１６）を形成する。庇部（１６）はメモ挟み（１０）の側面から鉛直線に直交する線に沿って外方向にせり出し、かつメモ挟み（１０）の長手方向に沿って形成する。よって、図４に開示するように使用者が指（ｘ）、（ｙ）で一方の側面を下方に押圧し、他方の側面を引き上げると（図面に矢印で開示する方向）、メモ挟み（１０）の吸着面（１１）に力を加えると、吸着面（１１）は一方の側辺を軸にして回転し所定の角度まで傾斜すると、鉄質の壁面、もしくは物体である吸着対象面（３０）からメモ挟み（１０）を取り外すことができる（図４に点線で表示した仮想線参照）。かかる取り外しの操作は、従来の技術においてメモ挟みを抉じ開けたり、湾曲させたりして取り外すといった不便な操作を大幅に改善するものである。
【００２２】
また、図２、３に開示するように、凹溝（１３）内に設け、吸着面（１１）と非吸着面（１２）とを識別するための飾りプレート（１４）は厚さを減少させるとともに、凹溝（１３）の上端から飾りプレート（１４）に至る間に段差（Ｌ）を形成する。このため、飾りプレート（１４）の両側端が凹溝（１３）内に深く埋め込まれた状態になり、メモ挟み（１０）を取り外す操作を行う場合、湾曲などの力が加わっても剥離することがなく、飾りプレート（１４）を設けることによって得られる保護作用が確実に得られる。また、特に凹溝（１３）の溝端縁部（１７）側の領域は、光線の照射角度によって影に階層が発生し、飾りプレート（１４）、もしくは飾りプレート（１４）上にプリントしたロゴ、もしくは商標などに明暗が発生して立体的な視角上の効果が得られる。
【００２３】
また、図５に開示するように、メモ挟み（１０）の対向する両側壁（１５）に形成する庇部（１６）は、図２から図４に開示するように水平に突起した形状以外に、図５に開示する形態の庇部（１６’）であってもよい。即ち、メモ挟み（１０’）の上面を非吸着面（１２）とし、非吸着面（１２）の両端縁部から下方に向かって内方向に傾斜する傾斜側壁（１５’）を形成し、非吸着面（１２）の面積が吸着面（１１）に比して広くなるようにする。よって、非吸着面（１２）の両端縁部は自ずから外方向に迫り出す庇部（１６）を形成する。
【００２４】
以上をまとめると、この考案は吸着対象面（３０）に吸着させたメモ挟み（１０）を取り外す操作を容易にすることを目的とし、非吸着面（１２）上の一部材料をメモ挟み（１０）の対向する両側壁（１５）の特定の領域に移動させて庇部（１６）を形成する。係る構造は、次に掲げる条件と特徴を有する。
１．   この考案によるメモ挟み（１０）は、一体成型した扁平状で長条形の磁性を有するものであって、物品に対する軽量化と体積のスリム化が要求される現代の趨勢に適うものであり、鉄質の壁面、もしくは物体などの吸着対象面（３０）に吸着させた場合、従来のメモ挟みに比して更に容易に取り外すことができる。
２．   重要でない領域の材料を除去し、その分をメモ挟み（１０）の対向する両側面（１５）の特定の領域に移動させることによって、メモ挟み（１０）の全体的な質量が増加することなく、全体的な空間の形態において単純で簡易な構造を達成するための条件を満たすものであって、従来の構造に比して明らかに異なる。
３．   上述の除去された材料は、メモ挟み（１０）の側面から外方向にせり出す庇部（１６）に移動させて、これを形成する。係る構造は部材の組み合わせを増加することなく、単純な構造を得るための条件として考慮したものであって、吸着対象面（３０）に吸着させたメモ挟み（１０）を取り外す場合、使用者が指（ｘ）、（ｙ）で押圧するか、もしくは引き上げる操作を行うための力点となり、係る操作によってメモ挟み（１０）を傾斜させて吸着対象面（３０）から離して取り外すことができる。このような取り外しのメカニズムは、従来のメモ挟みに比して更に理想的な使用機能を提供するものである。
【００２５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２６】
【図１】従来の磁性吸着式メモ挟みを非吸着対象面から取り外す操作を示した説明図である。
【図２】この考案による磁性吸着式メモ挟みの外観を示した一部斜視図である。
【図３】従来の吸着式メモ挟みと、この考案による磁性吸着式メモ挟みの断面構造を比較した説明図である。
【図４】この考案による磁性吸着式メモ挟みを非吸着対象面から取り外す操作を示した説明図である。
【図５】他の実施形態による磁性吸着メモ挟みの断面図である。
【符号の説明】
【００２７】
１０、１０’  メモ挟み
１１                 吸着面
１２                 非吸着面
１３                 凹溝
１４                 飾りプレート
１５                 両側壁
１５’             傾斜側壁
１６、１６’  庇部
１７                 溝端縁部
２                    仮想線
３０                 吸着対象面
４                    メモ挟み
４１                 吸着面
４２                 非吸着面
４２１             凹溝
５                    飾りプレート
ｆ                    手
ｘ、ｙ             指
Ｌ                    段差
【図１】
0003102492.tif 000003
【図２】
0003102492.tif 000004
【図３】
0003102492.tif 000005
【図４】
0003102492.tif 000006
【図５】
0003102492.tif 000007